(57)【要約】      （修正有）【課題】農作物の栽培等に用いられるマルチフィルム等を土壌に確実に固定できると共に、マルチフィルム等を大きく損傷させることなく、容易に着脱（特に脱着）できるシート体固定具を提供する。【解決手段】シート体固定具１は、土壌上に配設されるシート体の一部を押さえることによりシート体を土壌に対して固定するシート体固定具であって、シート体の上面に接してシート体を押さえる押頭部１０と、押頭部から斜め下方へ延在して該シート体の上面側から斜め下方へ差し込まれて土壌中へ埋設され得る棒状の差込脚部２０と、を備えることを特徴とする。この固定具には、適宜、差込脚部を土壌中へ打設する際に用いる打頭部３０を差込脚部の上方端側に設けたり、押頭部の上面側に紐を掛合できる掛合部を設けてもよい。【選択図】図１
0003184715.tif 000002
【実用新案登録請求の範囲】
【請求項１】
土壌上に配設されるシート体の一部を押さえることにより該シート体を土壌に対して固定するシート体固定具であって、
前記シート体の上面に接して該シート体を押さえる押頭部と、
該押頭部から斜め下方へ延在して該シート体の上面側から斜め下方へ差し込まれて土壌中へ埋設され得る棒状の差込脚部と、
を備えることを特徴とするシート体固定具。
【請求項２】
前記差込脚部は、円形に対して一部が窪んだ凹断面または円形に対して一部が突きでた凸断面の棒状体からなる請求項１に記載のシート体固定具。
【請求項３】
前記押頭部は、前記シート体の上面に接する平板と該平板の延在方向に設けられた補強リブとからなる請求項１または２に記載のシート体固定具。
【請求項４】
さらに、前記差込脚部を土壌中へ埋設する際に押圧する打頭部を前記差込脚部の上方端側に有する請求項１〜３のいずれかに記載のシート体固定具。
【請求項５】
さらに、前記押頭部の上面側に紐を掛合できる掛合部を有する請求項１〜４のいずれかに記載のシート体固定具。
【請求項６】
前記掛合部は、環状である請求項５に記載のシート体固定具。
【考案の詳細な説明】
【技術分野】
【０００１】
本考案は、農作物の栽培等に用いられるマルチフィルム（またはマルチシートともいう。）や防虫ネット等のシート体、さらにはビニールシート、テント等のシート体などを土壌に確実に固定できると共に着脱（特に脱着）を容易に行えるシート体固定具に関する。
【背景技術】
【０００２】
農作物を栽培する際に、雑草の抑制、地温の調節等のために土壌面にマルチフィルムを被せることが多い。マルチフィルムは、黒色等をした樹脂製の薄いシート体であるため、単に覆設しただけでは風などにより剥がされて飛散し易い。そこで、このようなマルチフィルムを土壌に対して確実に固定するために、一般的には「マルチ押さえ」と呼ばれる種々の形状をした固定具（杭、ペグ等）が提案、市販されている。その一例として下記の特許文献に示すものがある。
【先行技術文献】
【特許文献】
【０００３】
【特許文献１】特開２０１１−９７８９９号公報
【考案の概要】
【考案が解決しようとする課題】
【０００４】
特許文献１に記載された「マルチシートの押さえ杭」は、マルチシートを押さえる頭部と、頭部から直角下方へ延びて土壌中に突き刺さる脚部とを備えている。この脚部は拡幅または縮幅が可能なバネ板材からなり、その側面には幅方向外側へ突き出した返しを備えている。このようなバネ板材と返しを備える脚部が、マルチシートを貫通して土壌へ埋設されることにより、特許文献１の押さえ杭は土壌から容易に抜けないようにされている。
【０００５】
ところで、土壌上に覆設されたマルチフィルムや防虫ネットなどのシート体は、農作物の成長や収穫等に応じて不要になれば撤去されて、必要になったときに再利用されることが多い。つまり、一般的にシート体は繰り返し使用される。しかし、特許文献１にあるような押さえ杭を用いると、シート体に大きな穴が開く。また、返しがあるために、押さえ杭をシート体から抜き取る作業が困難であり、その際にシート体が破損し易い。このような傾向は、シート体がネット状であるような場合に特に顕著である。従って、特許文献１にあるような従来の押さえ杭では、シート体を繰り返し再利用したり、農作業を効率的に行うことが容易ではなかった。
【０００６】
本考案はこのような事情に鑑みて為されたものであり、シート体を確実に土壌上に固定できると共に、シート体からの脱着等が容易で、シート体を再利用し易くできるシート体固定具を提供することを目的とする。
【課題を解決するための手段】
【０００７】
本考案者はこの課題を解決すべく鋭意研究し、試行錯誤を重ねた結果、従来の固定具のように土壌に差し込んで埋設する差込脚部を押頭部に対して直交方向へ延在させるのではなく、その差込脚部を押頭部に対して斜交方向へ延在させる新たな固定具の形態を着想した。この着想を発展させることにより、以降に述べる本考案を完成するに至った。
【０００８】
《シート体固定具》
（１）本考案のシート体固定具は、土壌上に配設されるシート体の一部を押さえることにより該シート体を土壌に対して固定するシート体固定具であって、前記シート体の上面に接して該シート体を押さえる押頭部と、該押頭部から斜め下方へ延在して該シート体の上面側から斜め下方へ差し込まれて土壌中へ埋設され得る棒状の差込脚部と、を備えることを特徴とする。
【０００９】
（２）本考案のシート体固定具（適宜、単に「固定具」という。）は、シート体の上面側を押さえる押頭部に対して斜め下方に延在する差込脚部を有する。この差込脚部をシート体の一部を貫通させつつ土壌中へ斜め下方に向かって打設等していくと、差込脚部は、押頭部と協働して、シート体とその下方にある土壌とを一緒に挟持するように土壌中に埋設される。このため強風等によりシート体を上方へ捲り上げるような力が押頭部へ作用するような場合でも、差込脚部は容易に土壌中から抜けることがなく、押頭部はシート体を固定した状態を安定的に維持する。
【００１０】
このように本考案に係る差込脚部は土壌中で安定的な埋設状態を維持するため、従来の固定具のように返し等を設ける必要が必ずしもない。そのため、差込脚部をシンプルな棒状とできる。その結果、本考案の固定具を用いれば、シート体へ差し込んだりシート体から抜き外したりする作業を容易に行える。つまり、シート体の固定作業を効率的に行うことができる。また、このようにシート体と固定具を抜き差ししても、差込脚部には返し等のない棒状であるため、シート体には小さな挿通穴が開く程度であり、シート体はほとんど損傷することがない。従って、シート体を繰り返し再利用することが可能となり経済的である。このように本考案の固定具によれば、シート体を土壌に対して安定的に固定できるのみならず、シート体の着脱作業性や再利用性の向上も図ることができる。
【００１１】
《その他》
本明細書でいうシート体は、農作物の栽培等に用いるマルチフィルムや防虫ネット等の農業用シート材に限らず、ビニールシートなどの汎用シート材でもよい。さらに本考案に係るシート体は、種々のシート材からなる構造体（テントなど）等でもよい。要するに、土壌上に少なくとも一部が固定され得るものであれば、本考案に係るシート体は、その種類や形態等を問わない。なお、本考案のシート体固定具により固定されるシート体は、差込脚部が貫通する部分に、ハトメリング等によって予め貫通穴が形成されたものでもよい。
【００１２】
本考案では、便宜的に、ほぼ鉛直方向を上下方向といい、そのうち土壌側を下方、その反対側を上方という。
【００１３】
本考案の固定具は、その材質を問わず、樹脂製でも、金属製でも、木製等でもよい。本考案の固定具を樹脂製とすると、軽量化と共に一体成形による量産化が可能となり好ましい。
【図面の簡単な説明】
【００１４】
【図１】本考案のシート体固定具に係る一実施例であるマルチ押さえを示す斜視図である。
【図２】その差込脚部の横断面図である。
【図３Ａ】そのマルチ押さえを用いてマルチフィルムを土壌上に固定した様子を模式的に示す正面図である。
【図３Ｂ】その様子を模式的に示す側面図である。
【考案を実施するための形態】
【００１５】
上述した本考案の構成要素に、本明細書中から任意に選択した一つまたは二つ以上の構成要素を付加し得る。いずれの実施形態が最良であるか否かは、対象、要求性能等によって異なる。
【００１６】
《押頭部》
本考案に係る押頭部は、シート体の上面に接してシート体の少なくとも一部（例えばシート体の端部）を押さえる。押頭部は、その形態を問わないが、例えば、方形状、長円形状等の平板からなり、その裏面側がシート体の上面を押さえる構成とすることができる。押頭部が細長い形状等になり、その剛性や強度が不十分になるような場合は、押頭部の撓みや折損等を抑止する適当な補強を設けると好ましい。例えば、押頭部が前記シート体の上面に接する平板からなる場合、その平板の延在方向に沿った補強リブを一筋または数筋設けるとよい。
【００１７】
《差込脚部》
本考案に係る差込脚部は、押頭部から斜め下方へ延在する棒状体からなる。このように本考案の固定具は、押頭部と差込脚部が斜交している点で、押頭部と差込脚部が直交していた従来の固定具と大きく異なる。押頭部と差込脚部の斜交位置は押頭部の中央等でもよいが、例えば、その斜交位置が押頭部の長手方向の端部であると、固定具のコンパクト化を図れて好ましい。
【００１８】
差込脚部の先端部（押頭部の反対側）は、シート体や土壌へ突き刺し易いように、適宜、尖頭形とするとよい。逆に差込脚部の押頭部側（上方端側）には、差込脚部を土壌へ埋設する際に押圧や打撃をし易くするための打頭部を設けると好ましい。打頭部は、小型の木槌等に合わせて、例えば小円板状とするとよい。
【００１９】
差込脚部も、剛性や強度が不十分になるような場合は、撓みや折損等を抑止する適当な補強を差込脚部の形態に応じて施すと好ましい。例えば、差込脚部の断面を単なる円形状から、種々の異形断面（凸状、Ｈ状、Ｉ状等）とするとよい。
【００２０】
上述したように本考案に係る差込脚部は、大きな返し等が無くても、土壌から抜け難い構造となっている。もっとも、差込脚部の表面積をより大きくすれば、土壌との接触抵抗面がより増大して、本考案の固定具は土壌からより抜け難くなる。そこで差込脚部は、例えば、単なる円形断面の丸棒状よりも表面積が大きくなる異形断面の棒状体であったり、凹凸表面からなる棒状体であると好ましい。その前者を具体的にいうと、差込脚部は、例えば、円形に対して一部が窪んだ凹断面または円形に対して一部が突きでた凸断面の棒状体とするとよい。特に、差込脚部が凸断面の棒状体であると、剛性や強度の向上と表面積の増大とを両立させ得るため好ましい。
【００２１】
《その他》
本考案の固定具は、さらに、押頭部の上面側に紐を掛合できる掛合部を有すると好ましい。これにより、土壌上に覆設したシート体が風に煽られてばたついたり捲り上がったりすることを押さえ込むための紐またはロープの固定が容易となる。掛合部は、その形態を問わない。例えば、掛合部は一部が開放された鈎状体でも良いし、閉じた環状体でもよい。なお、このような掛合部は、固定具を打設したり、逆に固定具を抜いたり、持ち運んだりする際の把持部としても利用できる。
【実施例】
【００２２】
実施例を挙げて本考案をより具体的に説明する。本考案のシート体固定具に係る一実施例であるマルチ押さえ１の斜視図を図１に示した。
【００２３】
《構成》
マルチ押さえ１は、両端部が円弧状となった細長い平板からなる押頭部１０と、押頭部１０の端部から斜め４５°下方（角度は４５°に限らず、３０〜６０°の範囲で調整するとよい。）へ延在する略丸棒状の差込脚部２０と、差込脚部２０の上方端部に設けられた小円板状の打頭部３０と、押頭部１０の上面側と打頭部３０の間に設けられた環状部４０とからなる。なお、マルチ押さえ１は樹脂製の一体成形品である。
【００２４】
押頭部１０は、上面側に長手方向に延在する補強リブ１１を有する。差込脚部２０は、尖頭状の先端部を有する略丸棒体からなる。但し、その横断面（図１のＡ−Ａ断面）は、図２に示すように円形の一部を切り欠いた扇形断面（凹断面）となっている。このような異形断面の差込脚部２０は、単なる丸棒体からなるものよりも表面積が大きく、土壌中に埋設された際の接触抵抗がより大きくて抜け難くなっている。
【００２５】
《使用例》  
畑の土壌Ｓ上にできた農作物Ｖを覆うマルチフィルムＦを、土壌Ｓ上にマルチ押さえ１で土壌Ｓに固定した様子を図３Ａ（正面図）および図３Ｂ（側面図）に模式的に示した。マルチ押さえ１を土壌Ｓ中に埋設する際は、土壌Ｓ上に配置したマルチフィルムＦの上面へ、差込脚部２０の先端部を置く。この状態で、押頭部１０の平板をマルチフィルムＦの上面と略平行にしつつ、打頭部３０を木槌等で打撃する。すると、差込脚部２０は、マルチフィルムＦを貫通して、土壌Ｓ中を斜め下方へ埋入していく。そして押頭部１０の平板の裏面と土壌Ｓの表面との間でマルチフィルムＦが挟持されるようになり、マルチフィルムＦがマルチ押さえ１によって固定される。
【００２６】
なお、図中には示していないが、マルチフィルムＦ上に紐を架け渡し、その紐を環状部４０の貫通穴に挿通させたり、係止したりして、マルチフィルムＦを繋縛してもよい。
【符号の説明】
【００２７】
１    マルチ押さえ（シート体固定具）
１０  押頭部
２０  差込脚部
３０  打頭部
４０  環状部（掛合部）
【図１】
0003184715.tif 000003
【図２】
0003184715.tif 000004
【図３Ａ】
0003184715.tif 000005
【図３Ｂ】
0003184715.tif 000006